(57)【特許請求の範囲】
【請求項１】
音声映像信号中の音声信号において、所定条件を満たすパワー値を有する時点を、盛上り時点として検出する盛上り時点検出部と、
盛上り時点前後の音声映像信号をダイジェストシーンとして抽出する抽出部と、
抽出されたダイジェストシーンを再生する再生制御部と、を備え、
盛上り時点検出部は、
検出開始時点の音声信号のパワー値が、検出開始時点から所定時間内に、検出開始時点でのパワー値を超えるパワー値を有する時点の有無を検出し、
検出開始時点でのパワー値を超えるパワー値を有する時点がある場合、当該時点を新たな検出開始時点として、さらに所定時間内に当該新たな検出開始時点でのパワー値を超えるパワー値を有する時点の有無の検出を行い、
検出開始時点でのパワー値を超えるパワー値を有する時点が無い場合、当該検出開始時点を盛上り時点とすることを特徴とする映像再生装置。
【請求項２】
抽出部は、盛上り時点から前記所定時間内の音声映像信号をダイジェストシーンとして抽出することを特徴とする請求項１に記載の映像再生装置。
【請求項３】
抽出部は、前記所定時間は、音声映像信号のジャンルに応じて設定されることを特徴とする請求項１又は２に記載の映像再生装置。
【請求項４】
前記検出開始時点でのパワー値を超えるパワー値を有する時点がある場合、当該時点を新たな検出開始時点としてさらに所定時間内に当該新たな検出開始時点でのパワー値を超えるパワー値を有する時点の有無を検出する動作を繰り返し行うことを特徴とする請求項３に記載の映像再生装置。
【請求項５】
音声信号において、所定条件を満たすパワー値を有する時点を、盛上り時点として検出する盛上り時点検出部と、
盛上り時点前後の音声信号をダイジェストとして抽出する抽出部と、
抽出されたダイジェストを再生する再生制御部と、を備え、
盛上り時点検出部は、
検出開始時点の音声信号のパワー値が、検出開始時点から所定時間内に、検出開始時点でのパワー値を超えるパワー値を有する時点の有無を検出し、
検出開始時点でのパワー値を超えるパワー値を有する時点がある場合、当該時点を新たな検出開始時点として、さらに所定時間内に当該新たな検出開始時点でのパワー値を超えるパワー値を有する時点の有無の検出を行い、
検出開始時点でのパワー値を超えるパワー値を有する時点が無い場合、当該検出開始時点を盛上り時点とすることを特徴とする再生装置。
【発明の詳細な説明】
【技術分野】
【０００１】
本発明は、音声映像信号に対してダイジェストシーンを自動的に生成して再生する映像再生装置等に関する。
【背景技術】
【０００２】
従来、音声映像信号に対して、音声信号のパワー（振幅）を解析し、音声信号のパワー値が閾値を越えた期間における音声映像信号を「盛上りシーン」とみなして選択して再生するダイジェスト再生方式が、特開２００４−３５０１３４号公報（特許文献１）に記載されている。
【０００３】
この従来のダイジェスト再生方式によれば、音声信号のパワー値が閾値を越えた期間における音声映像信号を「盛上りシーン」とみなして選択して再生する方式なので、音声信号のパワー値が閾値を越える直前のシーンにおける音声映像信号を再生することができない。
【０００４】
例えば、サッカーの音声映像信号の場合、ゴールシーンで観客の声援が最高潮になるので、ゴールの瞬間から直後の期間にかけて、音声信号のパワー値が閾値を越え、かかる期間における音声映像信号をダイジェストシーンとして選択して再生することができる。
【０００５】
ところが、サッカーの場合、ゴールに至る直前の攻防のシーンに醍醐味があるので、視聴者は、ゴールの直前からゴールの瞬間、そして、ゴールの直後における観客の興奮する様子を見たいと思うものであるが、観客の声援が最高潮になった瞬間から後のシーンを見ても、その醍醐味は味わうことができない。
【０００６】
また、音声信号のパワー値が閾値を超えている期間における音声映像信号をダイジェストシーンとして選択して再生するので、かかる期間が短い場合、ダイジェストシーンの再生時間も短くなり、極端な場合には、音声信号のパワー値が１秒間だけ閾値を越える場合、その１秒間だけダイジェストシーンを再生することになり、視聴者にとって極めて視聴し辛いものとなる。
【０００７】
加えて、閾値を設定するためには、対象とする音声映像信号全体を解析する必要があり、いわゆる「追っかけ再生」でダイジェストシーンを再生するというリアルタイムなダイジェストシーンを再生することができない問題点もあった。
【特許文献１】特開２００４−３５０１３４号公報
【発明の開示】
【発明が解決しようとする課題】
【０００８】
本発明は、このような従来の技術的課題に鑑みてなされたものであり、音声映像信号に対して盛上りシーンを適切にダイジェストシーンとして選択して再生することができる映像再生装置等を提供することを目的とする。
【課題を解決するための手段】
【０００９】
本発明の第１の特徴は、音声映像信号中の音声信号において、所定条件を満たすパワー値を有する時点を、盛上り時点として検出する盛上り時点検出部と、盛上り時点前後の音声映像信号をダイジェストシーンとして抽出する抽出部と、抽出されたダイジェストシーンを再生する再生制御部と、を備え、盛上り時点検出部は、ある時点の音声信号のパワー値が、該時点から所定時間内のパワー値よりも大きいときに、前記ある時点を盛上り時点として検出し、前記ある時点から所定時間内の音声信号において、該ある時点のパワー値よりも大きい時点が存在するとき、該時点を盛上り時点として検出する、映像再生装置であることを要旨とする。
【００１０】
ここで、ダイジェクトシーン切取り時間は、ダイジェストとして用いる１シーン（すなわち、１ダイジェクトシーン）あたりの再生時間である。
【００１１】
かかる発明によれば、選択された盛上り時点（所定条件を満たすパワー値を有する時点）に対して予め設定されている所定のダイジェストシーン切取り時間内の音声映像信号をダイジェストシーンとして抽出して再生することによって、盛上りシーンを挟む適切な長さのダイジェクトシーンを選択して再生することができるため、ダイジェストシーンを視聴者にとって見やすく再生することができる。
【００１２】
本発明の第１の特徴において、前記ダイジェストシーン抽出部は、所定のダイジェスト再生時間内で再生できるダイジェストシーンの数だけ、前記盛上り時点を選択するように構成されていてもよい。
【００１３】
ここで、ダイジェクト再生時間は、各番組用のダイジェストシーンを再生することができる時間である。
【００１４】
かかる発明によれば、所定のダイジェスト再生時間内で再生可能な数のダイジェストシーンを生成することができる。
【００１５】
本発明の第１の特徴において、前記ダイジェストシーン切取り時間は、前記盛上り時点が前記ダイジェストシーン切取り時間の中間時点、或いは、前記盛上り時点が前記ダイジェストシーン切取り時間の中間時点よりも前又は後に位置するように設定されるように構成されていてもよい。
【００１６】
かかる発明によれば、盛上りシーンが盛上り時点よりも前にある場合には、当該盛上り時点がダイジェストシーン切取り時間の中間時点よりも前に位置するようにダイジェストシーン切取り時間を設定し、盛上りシーンが盛上り時点よりも後にある場合には、当該盛上り時点がダイジェストシーン切取り時間の中間時点よりも後に位置するようにダイジェストシーン切取り時間を設定することによって、上述の盛上りシーンを含む適切なダイジェストシーンを再生することができる。
【００１７】
本発明の第１の特徴において、前記ダイジェストシーン切取り時間は、前記音声映像信号のジャンルに応じて設定されるように構成されていてもよい。
【００１８】
かかる発明によれば、盛上りシーンが盛上り時点の前にあるサッカーのようなジャンルの音声映像信号と、盛上りシーンが盛上り時点の後にある野球のようなジャンルの音声映像信号とで、ダイジェストシーン切取り時間の盛上り点に対する設定を切り替えることによって、盛上りシーンを含む適切なダイジェストシーンを再生することができる。
【００１９】
本発明の第１の特徴において、前記ダイジェストシーン抽出部が、所定の連続判定時間内に複数の盛上り時点を選択している場合に、前記再生制御部は、選択されている当該複数の盛上り時点のうちの最初の盛上り時点に対応するダイジェストシーンの始まりから最後の盛上り時点に対応するダイジェストシーンの終わりまでの期間内の前記音声映像信号のうち、前記ダイジェストシーン切取り時間内の前記音声映像信号を再生するように構成されていてもよい。
【００２０】
かかる発明によれば、例えば、サッカーの音声映像信号において、リアルタイムのゴールシーン（１番目の盛上り時点に対応するダイジェストシーン）が放送された直後に、当該ゴールシーン（２番目の盛上り時点に対応するダイジェストシーン）の録画再生が放送されるような場合に、ほとんど同一のダイジェストシーンを両方とも再生してしまうという事態を回避することができる。
【００２１】
また、かかる発明によれば、複数のダイジェストシーンを１まとめにし、かつ、１まとめにした期間の一部だけを、ダイジェストシーンとして選択することができる。
【００２２】
本発明の第１の特徴において、前記ダイジェストシーン抽出部が、所定の連続判定時間内に複数の盛上り時点を選択している場合に、前記再生制御部は、選択されている当該複数の盛上り時点のうちの最初の盛上り時点に対応するダイジェストシーンの始まりから最後の盛上り時点に対応するダイジェストシーンの終わりまでの期間内の前記音声映像信号を再生するように構成されていてもよい。
【００２３】
かかる発明によれば、例えば、サッカーの音声映像信号において、一度目のシュートが失敗したが、そのこぼれ球を再度シュートしてゴールしたような一連の盛上りシーンを分断することなく、１つのダイジェストシーンにして再生することができる。
【００２４】
本発明の第１の特徴において、前記再生制御部は、前記ダイジェストシーン間は、前記音声映像信号に対して所定速度の高速再生を行い、前記ダイジェストシーンでは、前記音声映像信号に対して通常速再生を行うように構成されていてもよい。
【００２５】
かかる発明によれば、蓄積されている音声映像信号を早送り再生しながら、盛上りシーンに来れば一定期間を通常速で再生することができ、音声映像信号全体の流れを把握しながらも盛上りシーンはじっくり鑑賞することができる。
【００２６】
本発明の第１の特徴において、前記盛上り時点検出部は、前記音声信号デコーダにより取得された前記音声信号に対して所定の周波数成分のみを含む音声信号を抽出し、抽出した当該音声信号において前記盛上り時点を検出するように構成されていてもよい。
【００２７】
かかる発明によれば、単に音声信号のパワー値が大きくなったところを、ダイジェストシーンとして再生するに留まらず、視聴者が本当に視聴したい重要なシーン（例えば、行司の「ハッキヨイ」の掛け声の周波数成分を含む相撲番組における立会いシーンや、ホイッスルの周波数成分を多く含むサッカー番組等におけるシーン）をダイジェストシーンとして再生することができる。  本発明の第１の特徴において、前記ダイジェストシーン抽出部は、前記音声信号における前記盛上り時点及び当該盛上り時点におけるパワー値の少なくとも１つに基づいて、前記所定数の盛上り時点を選択するように構成されていてもよい。
【００２８】
かかる発明によれば、例えば、大関や横綱の取り組み等の重要なシーンが音声映像信号の最後の方に含まれている相撲番組等や、メインイベントの時間帯が決まっている競馬番組やボクシング番組において、かかる時間帯周辺の盛上り時点を優先してダイジェストシーン用盛上り時点として選択することができる。
【００２９】
また、かかる発明によれば、盛上り度が大きい（すなわち、パワー値が大きい）シーンに対応する盛上り時点を優先してダイジェストシーン用盛上り時点として選択することができる。
【００３０】
本発明の第１の特徴において、前記盛上り時点検出部は、ある時点における音声信号のパワー値が、それ以降の一定のピーク保持時間内の他の時点における音声信号のパワー値よりも大きい時に、前記ある時点を、前記盛上り時点として検出するように構成されていてもよい。
【００３１】
ここで、ピーク保持時間は、盛上り時点を探索するために用いられる一定期間である。ピーク保持時間中に、盛上り時点の探索の開始時点でのパワー値を超えるパワー値を有する時点があれば、かかる開始時点を盛上り時点とすることなく、かかる時点を次の盛上り時点の探索の開始時点とする。一方、ピーク保持時間中に、盛上り時点の探索の開始時点でのパワー値を超えるパワー値を有する時点がなければ、かかる開始時点を盛上り時点とする。
【００３２】
かかる発明によれば、音声信号のパワー値におけるピーク値の時点を、盛上り時点とすることによって、盛上りシーンを含むダイジェストシーンを抽出することができる。
【００３３】
本発明の第１の特徴において、前記ピーク保持時間と前記ダイジェストシーン切取り時間とを等しく設定するように構成されていてもよい。
【００３４】
かかる発明によれば、一定の条件の下、ピーク保持時間とダイジェストシーン切取り時間とを等しくすることで、隣り合うダイジェストシーンを選択しても両ダイジェストシーンが重複することを回避することができ、ダイジェストシーンの重複を意識した処理を不要とすることができる。
【００３５】
本発明の第１の特徴において、前記ピーク保持時間は、一定の周期で繰り返されるように設定されていてもよい。
【００３６】
かかる発明によれば、例えば、立会い（取り組み開始）から次の立会い（次の取り組み開始）までの時間が、大体規則的である、すなわち、取り組みが一定周期で繰り返される相撲番組において、ピーク保持時間Ｔ１を、立会いから次の立会いまでの時間とすることで、１つの取り組みにおいて、複数の盛上り時点を抽出することを回避することができる。
【００３７】
また、かかる発明によれば、例えば、各レースが行われる時間帯が大体決まっている競馬番組の場合、ピーク保持時間Ｔ１をかかる時間帯に合わせて設定することによって、１つのレースにおいて、複数の盛上り時点を抽出することを回避することができる。
【００３８】
本発明の第１の特徴において、前記盛上り時点検出部は、前記ピーク保持時間においてだけでなく、当該ピーク保持時間よりも短い他のピーク保持時間において、前記盛上り時点を更に検出するように構成されており、前記ダイジェストシーン抽出部は、所定条件が満たされる場合、前記他のピーク保持時間において検出された前記盛上り時点を用いて、前記ダイジェストシーンを抽出するように構成されていてもよい。
【００３９】
かかる発明によれば、例えば、重要なシーンが発生する可能性が高い時間帯であると設定されている時間帯において、ピーク保持時間よりも短い他のピーク保持時間において検出された盛上り時点を用いてダイジェストシーンを抽出することによって、相撲番組における大関や横綱の取り組みや各種スポーツ番組におけるメインイベント等の重要なシーンを絶対に見逃さないようにダイジェストシーンを再生することができる。
【００４０】
本発明の第１の特徴において、前記盛上り時点検出部は、前記音声映像信号のジャンルと前記ピーク保持時間とを関連付けて記憶しており、入力された前記音声映像信号のジャンルに関連付けられた前記ピーク保持時間を用いて、前記盛上り時点を検出するように構成されていてもよい。
【００４１】
かかる発明によれば、ジャンルごとに盛り上がり状態が異なることを考慮して、盛上り時点を設定することができ、ジャンルに応じた適切なダイジェストシーンを再生することができる。
【００４２】
本発明の第２の特徴は、記録媒体に記録されている音声映像信号を再生する映像再生装置であって、前記記録媒体に記録されている音声信号のパワー値の中から、所定条件を満たすパワー値を有する時点を、盛上り時点として検出するように構成されている盛上り時点検出部と、前記盛上り時点検出部により検出された前記盛上り時点の中から所定数の盛上り時点を選択し、選択された前記盛上り時点に対して予め設定されている所定のダイジェストシーン切取り時間内の前記音声映像信号をダイジェストシーンとして抽出するように構成されているダイジェストシーン抽出部と、前記ダイジェストシーン抽出部により抽出された前記ダイジェストシーンを再生するように構成されている再生制御部とを具備することを要旨とする。
【００４３】
かかる発明によれば、再生専用装置であっても、記録媒体に記録されている音声映像信号に対するダイジェストシーンが、予め設定されたダイジェスト再生時間内に再生できる数だけ、盛上り度の高いものを最初から順に再生することができ、長い音声映像信号であっても、そのハイライトを自動再生できることになる。
【００４４】
本発明の第２の特徴において、前記再生制御部は、前記ダイジェストシーン間は、前記音声映像信号に対して所定速度の高速再生を行い、前記ダイジェストシーンでは、前記音声映像信号に対して通常速再生を行うように構成されていてもよい。
【００４５】
かかる発明によれば、録画時に盛上り時点を抽出せずに音声映像信号を記録媒体１４に録画した場合であっても、上述の早送り再生を行うことが可能になる。
【００４６】
本発明の第２の特徴において、前記盛上り時点検出部は、ある時点における音声信号のパワー値が、それ以降の一定のピーク保持時間内の他の時点における音声信号のパワー値よりも大きい時に、前記ある時点を、前記盛上り時点として検出するように構成されていてもよい。
【００４７】
かかる発明によれば、音声信号のパワー値におけるピーク値の時点を、盛上り時点とすることによって、盛上りシーンを含むダイジェストシーンを抽出することができる。
【００４８】
本発明の第２の特徴において、前記盛上り時点検出部は、前記音声映像信号のジャンルと前記ピーク保持時間とを関連付けて記憶しており、入力された前記音声映像信号のジャンルに関連付けられた前記ピーク保持時間を用いて、前記盛上り時点を検出するように構成されていてもよい。
【００４９】
かかる発明によれば、ジャンルごとに盛り上がり状態が異なることを考慮して、盛上り時点を設定することができ、ジャンルに応じた適切なダイジェストシーンを再生することができる。
【発明の効果】
【００５０】
本発明のある態様によれば、音声映像信号に対して盛上りシーンを適切にダイジェストシーンとして選択して再生することができる。別の態様によれば、音声信号に対して盛上りシーンを適切にダイジェストとして選択して再生することができる。
【発明を実施するための最良の形態】
【００５１】
以下、本発明の実施の形態について図に基づいて詳説する。
【００５２】
（第１の実施形態）
図１を参照して、本発明の第１の実施形態に係る映像記録再生装置の構成について説明する。本実施形態に係る映像記録再生装置は、録画処理部１０と、再生処理部２０とによって構成されている。
【００５３】
録画処理部１０は、デジタルチューナ部１１と、音声信号デコーダ１２と、盛上り時点検出部１３と、記録媒体１４と、記録媒体インタフェース１５とを具備している。
【００５４】
デジタルチューナ部１１は、音声映像放送信号の受信処理を行う、すなわち、音声映像放送信号を受信して検波してＭＰＥＧ２-ＴＳに復調するように構成されている。
【００５５】
音声信号デコーダ１２は、入力された音声映像信号から音声信号を取得するように構成されている、すなわち、デジタルチューナ部１１により復調された音声映像信号に含まれている音声圧縮信号（Ａｄｖａｎｃｅｄ  Ａｕｄｉｏ  Ｃｏｄｅ、以下ＡＡＣと称す）を音声信号に変換するように構成されている。
【００５６】
盛上り時点検出部１３は、音声信号デコーダ１２により取得された音声信号のパワー値の中から、所定条件を満たすパワー値を有する時点を、盛上り時点として検出するように構成されている。
【００５７】
具体的には、盛上り時点検出部１３は、音声信号デコーダ１２により変換された音声信号においてピークとなっているパワー値を有する時点を、盛上り時点として検出し、記録媒体インタフェース１５を介して、当該盛上り時点及び当該盛上り時点（ピーク位置）におけるパワー値（ピーク値）を、盛上り時点情報として記録媒体１４に記録するように構成されている。
【００５８】
図２（ａ）及び図２（ｂ）を参照して、盛上り時点検出部１３による盛上り時点（ピーク位置）及び当該盛上り時点におけるパワー値（ピーク値）の検出・記録処理について説明する。
【００５９】
図２（ａ）は、音声信号のパワー（振幅）曲線を示し、図２（ｂ）は、音声信号のパワー曲線において量子化された音声信号のパワー値を示す。
【００６０】
図２（ｂ）に示すように、盛上り時点検出部１３は、音声信号のパワー値を最初から順に比較していき、ある時点におけるパワー値Ｐｉが、それ以降の一定のピーク保持時間（例えば、２０秒間）Ｔ１内の他の時点におけるパワー値よりも大きい時に、かかるパワー値Ｐｉ（ピーク値）及び当該パワー値Ｐｉの時点（ピーク位置）を、盛上り時点情報（図３参照）として記録する。
【００６１】
同様にして、盛上り時点検出部１３は、これ以降も、ある時点におけるパワー値Ｐｉを越えるパワー値が、それに続く一定のピーク保持時間Ｔ１の間、現われない場合に、かかるパワー値Ｐｉの時点を盛上り時点として、かかる盛上り時点に係る盛上り時点情報（パワー値Ｐｉ及び盛上り時点）を記録していく。
【００６２】
盛上り時点検出部１３は、ユーザによる停止操作まで、或いは、１つの音声映像信号（コンテンツ）の終了まで、上述のような盛上り時点の検出・記録処理を継続して行う。
【００６３】
この結果、図３に示すように、記録媒体１４には、音声映像信号毎に、一連の盛上り時点（ダイジェストシーン候補）及びピーク値が、盛上り時点情報として記録されることになる。
【００６４】
記録媒体１４は、デジタル圧縮された音声映像信号を記録するハードディスクやＤＶＤ等によって構成されており、記録媒体インタフェース１５は、記録媒体１４に対して音声映像信号及び盛上り時点情報（後述）を記録し、記録媒体１４から音声映像信号及び盛上り時点情報を読み出すように構成されている。
【００６５】
また、再生処理部２０は、音声映像信号デコーダ２１と、ダイジェストシーン抽出部２２と、再生制御部２３と、スピーカ２４と、モニタ２５とを具備している。
【００６６】
音声映像信号デコーダ２１は、記録媒体１４に記録されているデジタル圧縮された音声映像信号を取出して、映像信号と音声信号とに復調するように構成されている。
【００６７】
ダイジェストシーン抽出部２２は、盛上り時点検出部１３により検出された盛上り時点の中から所定数の盛上り時点を選択し、選択された盛上り時点に対して予め設定されている所定のダイジェストシーン切取り時間内の音声映像信号をダイジェストシーンとして抽出するように構成されている。
【００６８】
具体的には、ダイジェストシーン抽出部２２は、所定のダイジェスト再生時間内で再生できるダイジェストシーンの数（例えば、１０又は２０）だけ、上述の盛上り時点を選択するように構成されている。
【００６９】
なお、ダイジェストシーン抽出部２２は、抽出したダイジェストシーンを含むプレイリスト（図４参照）を作成して再生制御部２３に出力するように構成されている。
【００７０】
図４に示すように、プレイリストには、ピーク位置の早い順に、盛上り時点に対応するダイジェストシーンを特定する情報がリストアップされている。具体的には、図４に示すように、プレイリストには、盛上り時点（ピーク位置）と、かかる盛上り時点に対応するダイジェストシーンの再生範囲とが関連付けて記憶されている。
【００７１】
ここで、ダイジェストシーンの再生範囲は、盛上り時点に対して予め設定されている所定のダイジェストシーン切取り時間によって規定されるものである。
【００７２】
ダイジェストシーン抽出部２２は、盛上り時点に対応するダイジェストシーンの再生時間が、かかる盛上り時点（ピーク位置）を挟むダイジェストシーン切取り時間Ｔとなるように、かかるダイジェストシーンの再生開始位置及び再生終了位置を設定するように構成されている。
【００７３】
なお、本実施形態では、ダイジェストシーン切取り時間Ｔとピーク保持時間Ｔ１とを等しく設定しているが、本発明は、かかる場合に限定されるものではなく、ダイジェストシーン切取り時間Ｔとピーク保持時間Ｔ１とが異なるように設定されていてもよい。
【００７４】
再生制御部２３は、ダイジェストシーン抽出部２２により抽出されたダイジェストシーンを再生するように構成されている。
【００７５】
具体的には、再生制御部２３は、ダイジェストシーン抽出部２２により抽出されたプレイリストに基づいて、記録媒体インタフェース１５を介して記録媒体１４から該当する音声映像信号を読出して、音声映像信号デコーダ２１にて再生させるように構成されている。
【００７６】
再生制御部２３は、ダイジェストシーン抽出部２２から、図４に示すようなプレイリストを受け取ると、かかるプレイリストに記録されているピーク位置を基準にしたダイジェストシーン切取り時間Ｔ内の音声映像信号を、ピーク位置の早い順に、記録媒体１４から順次読出して音声映像信号デコーダ２１に渡して再生させる。
【００７７】
この結果、再生制御部２３は、記録媒体１４に記録されている音声映像信号に対するダイジェストシーンについて、予め設定されたダイジェスト再生時間内に再生できる数だけ、盛上り度の高いもの（すなわち、パワー値の大きいもの）を最初から順に再生することができ、長い音声映像信号であっても、そのハイライトを自動再生することができる。
【００７８】
つまり、図５に示すように、再生制御部２３は、音声信号のピーク値Ｐ１〜Ｐ４のそれぞれに対応して、当該ピーク位置Ｐ１〜Ｐ４を挟む前後一定時間（ダイジェストシーン切取り時間）Ｔ内の音声映像信号を、ダイジェストシーンＤ１〜Ｄ４として順次再生することができる。
【００７９】
なお、本実施形態において、ダイジェストシーン抽出部２２に、ジャンル指定部２７を設け、図６に示すように、再生すべき音声映像信号のジャンルがサッカーである場合、或いは、再生すべき音声映像信号のジャンルが野球である場合等を指定させてもよい。
【００８０】
ここで、ダイジェストシーン切取り時間は、音声映像信号のジャンルに応じて、盛上り時点がダイジェストシーン切取り時間の中間時点よりも前又は後に位置するように設定されるように構成されていてもよい。  また、ジャンルは、電子番組ガイド（ＥＰＧ：Ｅｌｅｃｔｒｏｎｉｃ  Ｐｒｏｇｒａｍ  Ｇｕｉｄｅ）等によって指定される音声映像信号によって放送される番組の種類を示すものである。
【００８１】
例えば、再生すべき音声映像信号のジャンルが、サッカーである場合、ゴール直前の攻防からゴールの瞬間を経て、その後の観客の様子までを含めた再生ができるように、図６に示すように、ダイジェストシーン切取り時間の大半は、盛上り時点（ピーク値）の前に設定されるように構成されていてもよい。  一方、再生すべき音声映像信号のジャンルが、野球である場合、ピッチャーが投げ、バッターがスイングした結果、ホームランとなり、その打球が跳ぶ軌道、そしてスタンドに入って観客が歓喜するまでを再生できるように、図６に示すように、ダイジェストシーン切取り時間の大半は、盛上り時点（ピーク値）の前に設定されるように構成されていてもよい。
【００８２】
また、視聴者が、再生すべき音声映像信号のジャンルに応じて、手動でダイジェストシーンを調整できるように、ダイジェストシーン切取り時間は、盛上り時点の前何秒の時点から開始するかを設定できるように構成されていてもよい。
【００８３】
スピーカ２４は、音声映像信号デコーダ２１からの音声信号を再生するために出力するように構成されており、モニタ２５は、音声映像信号デコーダ２１からの映像信号を再生するために出力するように構成されている。
【００８４】
第１に、図７を参照して、本発明の第１の実施形態に係る映像記録再生装置の録画処理部１０における録画処理について説明する。
【００８５】
ステップＳ１０１において、デジタルチューナ部１１が、例えば、デジタル放送によって送信された音声映像信号を受信して検波してＭＰＥＧ２−ＴＳに復調する。
【００８６】
ステップＳ１０２において、音声信号デコーダ１２が、デジタルチューナ部１１により復調された信号に含まれている音声圧縮信号（ＡＡＣ）を音声信号に変換する。
【００８７】
ステップＳ１０３において、盛上り時点検出部１３が、上述のように、音声信号デコーダ１２により変換された音声信号に対して盛上り時点情報記録処理を行うことによって、盛上り時点（ピーク位置）及び当該盛上り時点のパワー値（ピーク値）を検出し、記録媒体インタフェース１５を介して記録媒体１４に順次記録していく。
【００８８】
ステップＳ１０４において、デジタルチューナ部１１は、復調してデジタル圧縮した音声映像信号も、記録媒体インタフェース１５を介して記録媒体１４に記録していく。
【００８９】
ここで、図８を参照して、ステップＳ１０３における盛上り時点情報記録処理について詳述する。
【００９０】
ステップＳ１において、盛上り時点検出部１３は、盛上り時点候補のパワー値の初期値として「Ｐｊ＝０」と初期する。
【００９１】
盛上り時点検出部１３は、ステップＳ３において、順次にサンプリングタイミングごとのパワー値Ｐｉを取り込み、ステップＳ５において、取り込んだパワー値Ｐｉと盛上り時点候補のパワー値Ｐｊとを比較する。
【００９２】
そして、新たに取り込んだパワー値Ｐｉの方が、盛上り時点候補のパワー値Ｐｊよりも大きければ、盛上り時点検出部１３は、盛上り時点候補のパワー値Ｐｊを、新たに取り込んだパワー値Ｐｉにて置換える（ステップＳ７、Ｓ９）。
【００９３】
そして、この新たな盛上り時点の候補パワー値への置換えが完了すると、盛上り時点検出部１３は、その時点で経過時間を０にリセットし、新たな盛上り時点候補のパワー値Ｐｊに対して、ステップＳ３以降の処理を再開する（ステップＳ１１）。
【００９４】
他方、盛上り時点候補のパワー値Ｐｊの出現時点から一定のピーク保持時間Ｔが経過するまでの間、盛上り時点候補のパワー値Ｐｊよりも大きなパワー値Ｐｉの盛上り時点候補が、出現しなければ（ステップＳ１３）、盛上り時点検出部１３は、この盛上り時点候補のパワー値Ｐｊの時点と当該パワー値Ｐｊとを、盛上り時点情報として記録する（ステップＳ１５）。
【００９５】
このように、盛上り時点が発見されると、盛上り時点検出部１３は、盛上り時点候補のパワー値Ｐｊを初期状態にリセットし（ステップＳ１７、Ｓ１）、ステップＳ３以降の処理を再開する。
【００９６】
第２に、図９を参照して、本実施形態の映像記録再生装置の再生処理部２０によるダイジェスト再生処理について説明する。
【００９７】
ダイジェストシーン抽出部２２が、ステップＳ２０１において、記録媒体１４に記録されている盛上り時点情報（図４参照）を読出し、ステップＳ２０２において、ピーク値の高い方から順に、ダイジェストシーン用盛上り時点として選出する。
【００９８】
ステップＳ２０３において、ダイジェストシーン抽出部２２は、図４に示すように、ダイジェストシーン用盛上り時点（ピーク位置）と、ダイジェストシーンの再生範囲とを含むプレイリストを作成して、再生制御部２３に対して出力する。
【００９９】
また、音声映像信号デコーダ２１は、ステップＳ２０４において、記録媒体１４に記録されている音声映像信号を読出し、ステップＳ２０５において、再生制御部２３からの指示に応じて、読出した音声映像信号に対するダイジェストシーンを再生する。
【０１００】
本実施形態に係る映像記録再生装置によれば、選択された盛上り時点（所定条件を満たすパワー値を有する時点）に対して予め設定されている所定のダイジェストシーン切取り時間内の音声映像信号をダイジェストシーンとして抽出して再生することによって、盛上りシーンを挟む適切な長さのダイジェクトシーンを選択して再生することができるため、ダイジェストシーンを視聴者にとって見やすく再生することができる。
【０１０１】
本実施形態に係る映像記録再生装置によれば、所定のダイジェスト再生時間内で再生可能な数のダイジェストシーンを生成することができる。
【０１０２】
本実施形態に係る映像記録再生装置によれば、盛上りシーンが盛上り時点よりも前にある場合には、当該盛上り時点がダイジェストシーン切取り時間の中間時点よりも前に位置するようにダイジェストシーン切取り時間を設定し、盛上りシーンが盛上り時点よりも後にある場合には、当該盛上り時点がダイジェストシーン切取り時間の中間時点よりも後に位置するようにダイジェストシーン切取り時間を設定することによって、上述の盛上りシーンを含む適切なダイジェストシーンを再生することができる。
【０１０３】
本実施形態に係る映像記録再生装置によれば、盛上りシーンが盛上り時点の前にあるサッカーのようなジャンルの音声映像信号と、盛上りシーンが盛上り時点の後にある野球のようなジャンルの音声映像信号とで、ダイジェストシーン切取り時間の盛上り点に対する設定を切り替えることによって、盛上りシーンを含む適切なダイジェストシーンを再生することができる。
【０１０４】
本実施形態に係る映像記録再生装置によれば、音声信号のパワー値におけるピーク値の時点を、盛上り時点とすることによって、盛上りシーンを含むダイジェストシーンを抽出することができる。
【０１０５】
本実施形態に係る映像記録再生装置によれば、一定の条件の下、ピーク保持時間とダイジェストシーン切取り時間とを等しくすることで、隣り合うダイジェストシーンを選択しても両ダイジェストシーンが重複することを回避することができ、ダイジェストシーンの重複を意識した処理を不要とすることができる。
【０１０６】
（第２の実施形態）
本発明の第２の実施形態に係る映像記録再生装置は、盛上り時点（ダイジェストシーン候補）が一定時間内に連続する場合の再生処理に特徴を持つ。
【０１０７】
したがって、本実施形態に係る映像記録再生装置のハードウェア構成は、図１に示すように、第１の実施形態に係る映像記録再生装置のハードウェア構成と同様である。
【０１０８】
ただし、本実施形態に係る映像記録再生装置の再生処理部２０におけるダイジェストシーン抽出部２２によって作成されるプレイリストが、第１の実施形態に係る映像記録再生装置の再生処理部２０におけるダイジェストシーン抽出部２２によって作成されるプレイリストとは異なる。
【０１０９】
例えば、サッカーのテレビ放送では、ゴールシーンがあれば、かかるゴールシーンの直後に、かかるゴールシーンの録画再生も放送される。かかる場合、音声信号は、図１０における「Ａ」に示すように、観客の大きな歓声によって、一定期間ｔ１内に、２つの盛上り時点が記録されることになる。
【０１１０】
そのため、かかる２つの盛上り時点に対応するダイジェストシーンを両方とも再生しても、ほとんど同一の音声映像信号を２度再生してしまうことになる。
【０１１１】
そこで、このような場合、前或いは後のダイジェストシーンだけを再生する方が好ましい。
【０１１２】
本実施形態に係る映像記録再生装置は、このような場合に有用なものであり、ダイジェストシーン抽出部２２が、所定の連続判定時間ｔ１内に複数の盛上り時点を選択している場合に、再生制御部２３は、選択されている複数の盛上り時点のうちの最初の盛上り時点に対応するダイジェストシーンの始まりから最後の盛上り時点に対応するダイジェストシーンの終わりまでの期間内の音声映像信号のうち、ダイジェストシーン切取り時間Ｔ内の音声映像信号を再生するように構成されている。
【０１１３】
例えば、ダイジェストシーン抽出部２２は、所定の連続判定時間ｔ１内に複数の盛上り時点が選択されている場合、前の盛上り時点に対応するダイジェストシーン、或いは、後の盛上り時点に対応するダイジェストシーンを再生するように構成されていてもよい。
【０１１４】
この結果、本実施形態に係る映像記録再生装置では、例えば、サッカーのテレビ放送を録画してダイジェスト再生する場合、リアルタイムのゴールシーン及びそれに続いて放送されるゴールシーンの録画再生を連続してダイジェスト再生することが避けられる。
【０１１５】
なお、放送内容によっては、図１１における「Ｂ」に示すように、重なるように、或いは、隣接若しくは近接して音声信号のピーク値が現われるシーンも発生する。
【０１１６】
かかる場合、図１１に示すように、ダイジェストシーン抽出部２２は、この前後のダイジェストシーンを１まとめにし、かつ、１まとめにした期間の一部だけを、ダイジェストシーンとして選択することもできる。
【０１１７】
図１２を参照して、本実施形態の映像記録再生装置の再生処理部２０によるダイジェスト再生処理について説明する。
【０１１８】
ステップＳ３０１乃至Ｓ３０３の動作は、上述の図９におけるステップＳ２０１乃至Ｓ２０３の動作と同一である。
【０１１９】
続いて、ステップＳ３０４において、ダイジェストシーン抽出部２２は、作成したプレイリストの中に、所定の連続判定時間ｔ１内に連続して再生される予定のダイジェストシーンがあるかどうかについて判断する。
【０１２０】
そして、所定の連続判定時間ｔ１内に連続して再生される予定のダイジェストシーンがあれば、ステップＳ３０５において、ダイジェストシーン抽出部２２は、これらのうち、予め選択することが決められている前のダイジェストシーン若しくは後のダイジェストシーンを選択して、盛上り時点（ダイジェストシーン候補）の１つとする。
【０１２１】
そして、プレイリストから、ダイジェストシーンが１つ抜けたので、ダイジェストシーン抽出部２２は、ダイジェストシーン用盛上り時点の選出から漏れたピーク値が次に高い盛上り時点を、ダイジェストシーン用盛上り時点としてプレイリストに追加選択し、プレイリストを更新する（ステップＳ３０６、Ｓ３０３）。
【０１２２】
以下、更新したプレイリストについて、ステップＳ３０４の判断を実行し、所定の連続判定時間ｔ１内に連続して再生される予定のダイジェストシーンがなくなれば、ステップＳ３０７において、ダイジェストシーン抽出部２２は、かかるプレイリストを再生制御部２３に出力する。
【０１２３】
また、音声映像信号デコーダ２１は、ステップＳ３０８において、記録媒体１４に記録されている音声映像信号を読出し、ステップＳ３０９において、再生制御部２３からの指示に応じて、読出した音声映像信号に対するダイジェストシーンを再生する。
【０１２４】
本実施形態に係る映像記録再生装置によれば、例えば、サッカーの音声映像信号において、リアルタイムのゴールシーン（１番目の盛上り時点に対応するダイジェストシーン）が放送された直後に、当該ゴールシーン（２番目の盛上り時点に対応するダイジェストシーン）の録画再生が放送されるような場合に、ほとんど同一のダイジェストシーンを両方とも再生してしまうという事態を回避することができる。
【０１２５】
また、本実施形態に係る映像記録再生装置によれば、複数のダイジェストシーンを１まとめにし、かつ、１まとめにした期間の一部だけを、ダイジェストシーンとして選択することができる。
【０１２６】
（第３の実施形態）
本発明の第３の実施形態に係る映像記録再生装置も、本発明の第２の実施形態に係る映像記録再生装置と同様に、盛上り時点（ダイジェストシーン候補）が一定時間内に連続する場合の再生処理に特徴を持つ。
【０１２７】
したがって、本実施形態に係る映像記録再生装置のハードウェア構成は、図１に示すように、第１の実施形態に係る映像記録再生装置のハードウェア構成と同様である。
【０１２８】
ただし、本実施形態に係る映像記録再生装置の再生処理部２０におけるダイジェストシーン抽出部２２によって作成されるプレイリストが、第１及び第２の実施形態に係る映像記録再生装置の再生処理部２０におけるダイジェストシーン抽出部２２によって作成されるプレイリストとは異なる。
【０１２９】
サッカーの試合では、シュートシーンで観客の歓声は大きくなるが、それが失敗に終われば、歓声は一気に静まる。しかし、その直後に、こぼれ球を再度シュートしてゴールとなれば、観客の歓声は間髪を入れずに大きくなる。
【０１３０】
このようなシチュエーションを含むサッカー放送を録画した場合、音声信号は、図１３における「Ｃ」に示すように、観客の大きな歓声によって、一定期間ｔ１内に、２つの盛上り時点が記録されることになる。
【０１３１】
このようなシーンをダイジェストシーンとして再生する場合、最初のシュートシーンから後の成功したゴールシーンまでの全期間をダイジェストシーンとして再生するのが好ましい。
【０１３２】
本実施形態に係る映像記録再生装置は、このような場合に有用なものであり、ダイジェストシーン抽出部２２が、所定の連続判定時間ｔ１内に複数の盛上り時点を選択している場合に、図１３に示すように、再生制御部２３は、選択されている複数の盛上り時点のうちの最初の盛上り時点に対応するダイジェストシーンの始まりから最後の盛上り時点に対応するダイジェストシーンの終わりまでの期間内の音声映像信号を再生するように構成されている。
【０１３３】
この結果、本実施形態に係る映像記録再生装置では、例えば、サッカーのテレビ放送を録画してダイジェスト再生する場合、一度目のシュートが失敗したがそのこぼれ球を再度シュートしてゴールしたような一連の盛上りシーンを分断することなく、１つのダイジェストシーンにして再生することができる。
【０１３４】
図１４を参照して、本実施形態の映像記録再生装置の再生処理部２０によるダイジェスト再生処理について説明する。
【０１３５】
ステップＳ４０１乃至Ｓ４０４の動作は、上述の図１２におけるステップＳ３０１乃至Ｓ３０４の動作と同一である。
【０１３６】
そして、所定の連続判定時間ｔ１内に連続して再生される予定のダイジェストシーンがあれば、ステップＳ４０５において、ダイジェストシーン抽出部２２は、これらのダイジェストシーンを、ダイジェストシーンとダイジェストシーンとの間のシーンも含めて１つのダイジェストシーンとして結合し、プレイリストの中の新たな１つのダイジェストシーンとする。
【０１３７】
そして、プレイリストから、ダイジェストシーンが１つ抜けたので、ダイジェストシーン抽出部２２は、ダイジェストシーン用盛上り時点の選出から漏れたピーク値が次に高い盛上り時点を、ダイジェストシーン用盛上り時点としてプレイリストに追加選択し、プレイリストを更新する（ステップＳ４０６、Ｓ４０３）。
【０１３８】
以下、更新したプレイリストについて、ステップＳ４０４の判断を実行し、所定の連続判定時間ｔ１内に連続して再生される予定のダイジェストシーンがなくなれば、ステップＳ４０７において、ダイジェストシーン抽出部２２は、かかるプレイリストを再生制御部２３に出力する。
【０１３９】
また、音声映像信号デコーダ２１は、ステップＳ４０８において、記録媒体１４に記録されている音声映像信号を読出し、ステップＳ４０９において、再生制御部２３からの指示に応じて、読出した音声映像信号に対するダイジェストシーンを再生する。
【０１４０】
本実施形態に係る映像記録再生装置によれば、例えば、サッカーの音声映像信号において、一度目のシュートが失敗したが、そのこぼれ球を再度シュートしてゴールしたような一連の盛上りシーンを分断することなく、１つのダイジェストシーンにして再生することができる。
【０１４１】
（第４の実施形態）
図１５及び図１６を参照して、本発明の第４の実施形態に係る映像記録再生装置について説明する。本実施形態に係る映像記録再生装置は、音声映像信号（コンテンツ）の早送り再生中に、ダイジェストシーン（盛上りシーン）のみ通常速再生を行う点に特徴を有する。
【０１４２】
本実施形態に係る映像記録再生装置も、第１の実施の形態と同様に、録画処理部１０と再生処理部２０とによって構成されている。
【０１４３】
そして、本映像記録再生装置の録画処理部１０は、第１の実施形態に係る映像記録再生装置の構成と同様に、デジタルチューナ部１１と、音声信号デコーダ１２と、盛上り時点検出部１３と、記録媒体１４と、記録媒体インタフェース１５とを備えている。
【０１４４】
本映像記録再生装置の再生処理部２０は、第１の実施形態に係る映像記録再生装置の構成と同様に、音声映像信号デコーダ２１と、ダイジェストシーン抽出部２２と、再生制御部２３と、スピーカ２４と、モニタ２５とを具備している。
【０１４５】
ただし、再生制御部２３は、ダイジェストシーン間は、音声映像信号に対して所定速度の高速再生を行い、ダイジェストシーンでは、音声映像信号に対して通常速再生を行うように構成されている。
【０１４６】
具体的には、ダイジェストシーン抽出部２２は、上述のようにダイジェストシーンを抽出し、当該ダイジェストシーンの前後の所定期間における音声映像信号について通常の速度で再生するように指示する通常速再生指令を出力する。
【０１４７】
また、再生制御部２３は、記録媒体１４に記録されている音声映像信号の早送り再生を制御し、かつ、ダイジェストシーン抽出部２２から通常速再生指令が出されている期間における音声映像信号について通常速再生制御を行う。
【０１４８】
なお、本実施形態に係る映像記録再生装置の録画処理部１０における録画処理は、上述の第１の実施形態に係る映像記録再生装置の録画処理部１０における録画処理と同一である。
【０１４９】
次に、図１５を参照して、本実施形態に係る映像記録再生装置による早送り再生処理について説明する。
【０１５０】
通常、再生処理部２０の再生制御部２３が、記録媒体１４に記録されている音声映像信号について、最初から所定の早送り速度で再生する。
【０１５１】
そして、この早送り再生中、ダイジェストシーン抽出部２２が、記録媒体１４に記録されている盛上り時点、例えば、ピーク位置Ｐ１を検出すると、その前後の所定期間のシーンを盛上りシーンＬ１とし、盛上りシーンＬ１に対する通常速再生指令を再生制御部２３に与える。
【０１５２】
再生制御部２３は、かかる通常速再生指令を受けると、該当する盛上りシーンＬ１の間、通常速再生に切り替える制御を行う。
【０１５３】
そして、再生制御部２３は、この盛上りシーンＬ１の再生を終了すると、続いて早送り再生に切り替えて、音声映像信号の再生を継続する。
【０１５４】
そして、ダイジェストシーン抽出部２２が、記録媒体１４に記録されている次の盛上り時点、例えば、ピーク位置Ｐ２を検出すると、その前後の所定期間のシーンを盛上りシーンＬ２とし、盛上りシーンＬ２に対する通常速再生指令を再生制御部２３に与える。
【０１５５】
再生制御部２３は、かかる通常速再生指令を受けると、該当する盛上りシーンＬ２の間、通常速再生に切り替える制御を行う。
【０１５６】
以下、再生制御部２３は、ピーク位置Ｐ３，Ｐ４，…毎に、一定期間を盛上りシーンＬ３，Ｌ４，…とし、早送り再生と通常速再生とを切り替えながら、音声映像信号を最後まで再生する。
【０１５７】
以上により、本発明の第４の実施形態に係る映像記録再生装置によれば、長い音声映像信号について、早送り再生しながら、盛上りシーンについて自動的に通常速に切り替えて再生していくことができる。
【０１５８】
なお、本実施形態に係る映像記録再生装置にあっても、第１乃至第３の実施形態に係る映像記録再生装置と同様に、音声映像信号のジャンルによって盛上りシーンを盛上り時点の前側に重点を置いた設定或いは後側に重点を置いた設定を行うことができ、また、時間的に短い間に連続する盛上りシーンについてはそれらを結合して１つの盛上りシーンとして通常速再生したり、或いは、その前側のシーンだけ若しくは後側のシーンだけ通常速再生したりする構成にすることができる。
【０１５９】
また、本実施形態に係る映像記録再生装置によれば、蓄積されている音声映像信号を早送り再生しながら、盛上りシーンに来れば一定期間を通常速で再生することができ、音声映像信号全体の流れを把握しながらも盛上りシーンはじっくり鑑賞することができる。
【０１６０】
（第５の実施形態）
図１７を参照して、本発明の第５の実施形態に係る映像記録再生装置について説明する。
【０１６１】
本実施形態に係る映像記録再生装置の構成は、盛上り時点検出部１３が、音声信号デコーダ１２により取得された音声信号に対してフィルタリング処理を施すことによって所定の周波数成分のみを含む音声信号を抽出し、抽出した当該音声信号において盛上り時点を検出するように構成されている点を除いて、上述の第１乃至第４の実施形態に係る映像記録再生装置の構成と同一である。
【０１６２】
具体的には、盛上り時点検出部１３は、テレビ放送番組において重要なシーンを抽出する際に有効な音声の周波数成分を多く含む周波数帯を予め設定しておき、かかる周波数帯でフィルタリングするように構成されている。
【０１６３】
例えば、相撲番組において最も重要なシーンと考えられるのは、立会いから勝負ありまでのシーンである。したがって、立会いシーンにおける行司の「ハッキヨイ」の掛け声の周波数成分を多く含む周波数帯を、盛上り時点検出部１３に予め設定しておくことによって、かかる掛け声のパワー値が盛上り時点となる可能性を高くすることができ、立会いから勝負ありまでのシーンをダイジェストシーンとする可能性を高くすることができる。
【０１６４】
また、サッカー番組等におけるホイッスルの周波数成分を多く含む周波数帯や、野球番組等における審判や解説者の音声（例えば、「ホームイン」等）周波数成分を多く含む周波数帯等を、盛上り時点検出部１３に予め設定しておくことによって、これらの番組における重要なシーンをダイジェストシーンとする可能性を高くすることができる。
【０１６５】
図１７を参照して、本実施形態に係る映像記録再生装置の録画処理部１０における録画処理について説明する。
【０１６６】
ステップＳ５０１において、デジタルチューナ部１１が、例えば、デジタル放送によって送信された音声映像信号を受信して検波してＭＰＥＧ２−ＴＳに復調する。
【０１６７】
ステップＳ５０２において、音声信号デコーダ１２が、デジタルチューナ部１１により復調された信号に含まれている音声圧縮信号（ＡＡＣ）を音声信号に変換する。
【０１６８】
ステップＳ５０３において、盛上り時点検出部１３が、予め設定されている周波数帯でフィルタリング処理を行う。
【０１６９】
ステップＳ５０４において、盛上り時点検出部１３が、上述のように、フィルタリング処理がなされた音声信号に対して盛上り時点情報記録処理を行うことによって、盛上り時点のピーク位置及びピーク値を検出し、記録媒体インタフェース１５を介して記録媒体１４に順次記録していく。
【０１７０】
ステップＳ５０５において、デジタルチューナ部１１は、復調してデジタル圧縮した音声映像信号も、記録媒体インタフェース１５を介して記録媒体１４に記録していく。
【０１７１】
本実施形態に係る映像記録再生装置によれば、単に音声信号のパワー値が大きくなったところを、ダイジェストシーンとして再生するに留まらず、視聴者が本当に視聴したい重要なシーン（例えば、行司の「ハッキヨイ」の掛け声の周波数成分を含む相撲番組における立会いシーンや、ホイッスルの周波数成分を多く含むサッカー番組等におけるシーン）をダイジェストシーンとして再生することができる。
【０１７２】
（第６の実施形態）
図１８を参照して、本発明の第６の実施形態に係る映像記録再生装置について説明する。
【０１７３】
本実施形態に係る映像記録再生装置は、ピーク保持時間Ｔ１が、一定の周期で繰り返されるように設定されている点を除いて、上述の第１乃至第５の実施形態に係る映像記録再生装置と同一である。
【０１７４】
例えば、立会い（取り組み開始）から次の立会い（次の取り組み開始）までの時間が、大体規則的である、すなわち、取り組みが一定周期で繰り返される相撲番組において、ピーク保持時間Ｔ１を、立会いから次の立会いまでの時間とすることで、１つの取り組みにおいて、複数の盛上り時点を抽出することを回避することができる。
【０１７５】
また、番組の特徴に応じて、ピーク保持時間Ｔ１を柔軟に設定することが好ましい。例えば、各レースが行われる時間帯が大体決まっている競馬番組の場合、ピーク保持時間Ｔ１をかかる時間帯に合わせて設定することによって、１つのレースにおいて、複数の盛上り時点を抽出することを回避することができる。
【０１７６】
（第７の実施形態）
図１９を参照して、本発明の第７の実施形態に係る映像記録再生装置について説明する。
【０１７７】
本実施形態に係る映像記録再生装置は、ダイジェストシーン抽出部２２が、音声信号における盛上り時点（ピーク位置）及び当該盛上り時点におけるパワー値（ピーク値）の少なくとも１つに基づいて、所定数の盛上り時点を選択するように構成されている点を除いて、上述の第１乃至第６の実施形態に係る映像記録再生装置と同一である。
【０１７８】
例えば、相撲番組において、大関や横綱の取り組み等の重要なシーンは、音声映像信号の最後の方に含まれている。そのため、図１９に示すように、ダイジェストシーン抽出部２２は、検出された盛上り時点のうち、最後からｎ個の盛上り時点をダイジェストシーン用盛上り時点として選出した後（ステップＳ６０１）、ピーク値の大きい（ｘ−ｎ）個の盛上り時点をダイジェストシーン用盛上り時点として選出するように構成されていてもよい（ステップＳ６０２）。
【０１７９】
また、例えば、競馬番組やボクシング番組のように、メインイベントの時間帯が決まっている場合、ダイジェストシーン抽出部２２は、検出された盛上り時点のうち、メインイベントの時間帯周辺の盛上り時点を優先してダイジェストシーン用盛上り時点として選出するように構成されていてもよい。
【０１８０】
また、ダイジェストシーン抽出部２２は、盛上り時点（時間帯）及び当該盛上り時点のパワー値に対して、所定規則に基づく重み付け処理を行い、かかる重み付け処理の結果に基づいて、ダイジェストシーン用盛上り時点としての選出を行うように構成されていてもよい。
【０１８１】
本実施形態に係る映像記録再生装置によれば、例えば、大関や横綱の取り組み等の重要なシーンが音声映像信号の最後の方に含まれている相撲番組等や、メインイベントの時間帯が決まっている競馬番組やボクシング番組において、かかる時間帯周辺の盛上り時点を優先してダイジェストシーン用盛上り時点として選択することができる。
【０１８２】
また、本実施形態に係る映像記録再生装置によれば、盛上り度が大きい（すなわち、パワー値が大きい）シーンに対応する盛上り時点を優先してダイジェストシーン用盛上り時点として選択することができる。
【０１８３】
（第８の実施形態）
図２０を参照して、本発明の第８の実施形態に係る映像記録再生装置について説明する。
【０１８４】
本実施形態に係る映像記録再生装置は、盛上り時点検出部１３が、ピーク保持時間Ｔ１においてだけでなく、当該ピーク保持時間Ｔ１よりも短い他のピーク保持時間Ｔ２において盛上り時点を更に検出するように構成されており、ダイジェストシーン抽出部２２が、所定条件が満たされる場合、他のピーク保持時間Ｔ２において検出された盛上り時点を用いてダイジェストシーンを抽出するように構成されている点を除いて、上述の第１乃至第７の実施形態に係る映像記録再生装置と同一である。
【０１８５】
例えば、相撲番組における大関や横綱の取り組みや各種スポーツ番組におけるメインイベント等の重要なシーンを絶対に見逃さないように、盛上り時点検出部１３は、図２０に示すように、ピーク保持時間Ｔ１において盛上り時点を検出すると共に、当該ピーク保持時間Ｔ１よりも短いピーク保持時間Ｔ２においても盛上り時点を検出するように構成されている。
【０１８６】
そして、ダイジェストシーン抽出部２２は、所定条件が満たされる場合、例えば、重要なシーンが発生する可能性が高い時間帯であると設定されている時間帯（図２０におけるＤＬ１乃至ＤＬ３）において、ピーク保持時間Ｔ２において検出された盛上り時点を用いてダイジェストシーンを抽出する。
【０１８７】
また、ダイジェストシーン抽出部２２は、ピーク保持時間Ｔ２において検出された盛上り時点のうち、特に重要なシーンが発生する可能性が高いと推定されている期間（図２０における期間Ｈ）内の盛上り時点を優先的にダイジェストシーン用盛上り時点として選出するように構成されていてもよい。
【０１８８】
本実施形態に係る映像記録再生装置によれば、例えば、重要なシーンが発生する可能性が高い時間帯であると設定されている時間帯において、ピーク保持時間よりも短い他のピーク保持時間において検出された盛上り時点を用いてダイジェストシーンを抽出することによって、相撲番組における大関や横綱の取り組みや各種スポーツ番組におけるメインイベント等の重要なシーンを絶対に見逃さないようにダイジェストシーンを再生することができる。
【０１８９】
（第９の実施形態）
図２１を参照して、本発明の第９の実施形態に係る映像再生装置について説明する。本実施形態に係る映像再生装置は、再生専用装置であっても記録再生装置であっても適用できるものである。
【０１９０】
本実施形態に係る映像再生装置は、図２１に示すように、記録媒体インタフェース１５と、音声信号解析部３１と、盛上り時点検出部１３と、バッファメモリ３２と、ダイジェストシーン抽出部２２と、再生制御部２３と、音声映像信号デコーダ２１と、スピーカ２４と、モニタ２５とを具備している。
【０１９１】
音声信号解析部３１は、例えば、ＨＤＤやＤＶＤ等の記録媒体１４に記録されている音声映像信号に対して、記録媒体インタフェース１５を介して音声信号のパワー曲線を先読みして解析するように構成されている。
【０１９２】
盛上り時点検出部１３は、上述の第１乃至第８の実施形態に係る映像記録再生装置の盛上り時点検出部１３と同様に、前記記録媒体に記録されている音声信号のパワー値の１つを、盛上り時点として検出するように構成されている。
【０１９３】
具体的には、盛上り時点検出部１３は、ある時点における音声信号のパワー値が、それ以降の一定のピーク保持時間内の他の時点における音声信号のパワー値よりも大きい時に、前記ある時点を、前記盛上り時点として検出するように構成されている。
【０１９４】
バッファメモリ３２は、盛上り時点検出部１３によって検出された盛上り時点（ピーク位置）及び当該盛上り時点におけるピーク値を含む盛上り時点情報を一時的に記録するように構成されている。
【０１９５】
ダイジェストシーン抽出部２２は、上述の第１乃至第８の実施形態に係る映像記録再生装置のダイジェストシーン抽出部２２と同様に、盛上り時点検出部１３により検出されてバッファメモリ３２に記録されている盛上り時点の中から所定数の盛上り時点を選択し、選択された盛上り時点に対して予め設定されている所定のダイジェストシーン切取り時間内の音声映像信号をダイジェストシーンとして抽出するように構成されている。
【０１９６】
再生制御部２３は、上述の第１乃至第８の実施形態に係る映像記録再生装置の再生制御部２３と同様に、ダイジェストシーン抽出部２２により抽出されたダイジェストシーンを再生するように構成されている。
【０１９７】
本実施形態に係る映像再生装置によるダイジェスト再生動作では、第１に、音声解析部３１が、上述の第１乃至第８の実施形態に係る映像記録再生装置の音声信号デコーダ１２と同様の処理によって音声信号を取得する。
【０１９８】
第２に、盛上り時点検出部１３が、上述の第１乃至第８の実施形態に係る映像記録再生装置の盛上り時点検出部１３と同様の処理によって、盛上り情報をバッファメモリ３２に記録する。
【０１９９】
第３に、ダイジェストシーン抽出部２２が、盛上り時点情報をバッファメモリ３２から抽出して、上述の第１乃至第８の実施形態に係る映像記録再生装置のダイジェストシーン抽出部２２と同様の処理によって、ダイジェストシーンを抽出する。
【０２００】
以降の処理については、上述の第１乃至第８の実施形態に係る映像記録再生装置におけるダイジェスト再生動作と同一である。
【０２０１】
この結果、本実施形態に係る映像再生装置によれば、再生専用装置であっても、上述の第１乃至第８の実施形態に係る映像記録再生装置と同様に、記録媒体１４に記録されている音声映像信号に対するダイジェストシーンが、予め設定されたダイジェスト再生時間内に再生できる数だけ、盛上り度の高いものを最初から順に再生することができ、長い音声映像信号であっても、そのハイライトを自動再生できることになる。
【０２０２】
（第１０の実施形態）
図２２を参照して、本発明の第１０の実施形態に係る映像再生装置について説明する。
【０２０３】
本実施形態に係る映像再生装置は、上述の第４の実施形態に係る映像記録再生装置と同様であって、再生制御部２３が、ダイジェストシーン間は、音声映像信号に対して所定速度の高速再生を行い、ダイジェストシーンでは、音声映像信号に対して通常速再生を行うように構成されていることを特徴とする。
【０２０４】
図２２に示すように、本実施形態に係る映像再生装置の構成は、ダイジェストシーン抽出部２２及び再送制御部２３の機能を除いて、上述の第９の実施形態に係る映像再生装置の構成（図２１参照）と同一である。
【０２０５】
また、本実施形態に係る映像再生装置における早送り再生動作は、上述の第４の実施形態に係る映像記録再生装置における早送り再生動作と同様である。
【０２０６】
通常、本実施形態に係る映像再生装置において、再生制御部２３が、記録媒体１４に記録されている音声映像信号について、最初から所定の早送り速度で再生する。
【０２０７】
そして、この早送り再生中、ダイジェストシーン抽出部２２が、バッファメモリ３２に記録されている盛上り時点、例えば、ピーク位置Ｐ１を検出すると、その前後の所定期間のシーンを盛上りシーンＬ１とし、盛上りシーンＬ１に対する通常速再生指令を再生制御部２３に与える。
【０２０８】
再生制御部２３は、かかる通常速再生指令を受けると、該当する盛上りシーンＬ１の間、通常速再生に切り替える制御を行う。
【０２０９】
そして、再生制御部２３は、この盛上りシーンＬ１の再生を終了すると、続いて早送り再生に切り替えて、音声映像信号の再生を継続する。
【０２１０】
そして、ダイジェストシーン抽出部２２が、バッファメモリ３２に記録されている次の盛上り時点、例えば、ピーク位置Ｐ２を検出すると、その前後の所定期間のシーンを盛上りシーンＬ２とし、盛上りシーンＬ１に対する通常速再生指令を再生制御部２３に与える。
【０２１１】
再生制御部２３は、かかる通常速再生指令を受けると、該当する盛上りシーンＬ２の間、通常速再生に切り替える制御を行う。
【０２１２】
以下、再生制御部２３は、ピーク位置Ｐ３，Ｐ４，…毎に、一定期間を盛上りシーンＬ３，Ｌ４，…とし、早送り再生と通常速再生とを切り替えながら、音声映像信号を最後まで再生する。
【０２１３】
また、本実施形態に係る映像再生装置によれば、録画時に盛上り時点を抽出せずに音声映像信号を記録媒体１４に録画した場合であっても、上述の早送り再生を行うことが可能になる。
【０２１４】
（第１１の実施形態）
図２２を参照して、本発明の第１１の実施形態に係る映像記録再生装置について説明する。
【０２１５】
本実施形態に係る映像記録再生装置は、上述の第１の実施形態に係る映像記録再生装置と同様の機能を具備する。なお、本実施形態に係る映像記録再生装置では、盛上り時点検出部１３が、音声映像信号のジャンルとピーク保持時間Ｔ１とを関連付けて記憶しており、入力された音声映像信号のジャンルに関連付けられたピーク保持時間Ｔ１を用いて、上述の盛上り時点を検出するように構成されていることを特徴とする。
【０２１６】
例えば、盛上り時点検出部１３は、図２３に示すようなテーブルによって、音声映像信号のジャンルとピーク保持時間Ｔ１とを関連付けて記憶している。
【０２１７】
そして、盛上り時点検出部１３は、ＥＰＧ（Ｅｌｅｃｔｒｏｎｉｃ  Ｐｒｏｇｒａｍ  Ｇｕｉｄｅ：電子番組ガイド）等から当該音声映像信号のジャンルを取得し、図２３に示すようなテーブルにおいて、取得したジャンルに関連付けられているピーク保持時間Ｔ１を用いて、盛り上がり点の記録位置（ピーク位置）及びパワー値（ピーク値）を盛上り時点情報として記録媒体１４に記録する（図２及び図３参照）。
【０２１８】
本実施形態に係る映像記録再生装置によれば、ジャンルごとに盛り上がり状態が異なることを考慮して、盛上り時点を設定することができ、ジャンルに応じた適切なダイジェストシーンを再生することができる。
【０２１９】
（第１２の実施形態）
図２２を参照して、本発明の第１２の実施形態に係る映像再生装置について説明する。
【０２２０】
本実施形態に係る映像再生装置は、上述の第９の実施形態に係る映像再生装置と同様の機能を具備する。なお、本実施形態に係る映像再生装置では、盛上り時点検出部１３が、音声映像信号のジャンルとピーク保持時間Ｔ１とを関連付けて記憶しており、入力された音声映像信号のジャンルに関連付けられたピーク保持時間Ｔ１を用いて、上述の盛上り時点を検出するように構成されていることを特徴とする。
【０２２１】
例えば、盛上り時点検出部１３は、図２３に示すようなテーブルによって、音声映像信号のジャンルとピーク保持時間Ｔ１とを関連付けて記憶している。
【０２２２】
そして、盛上り時点検出部１３は、ＥＰＧ（Ｅｌｅｃｔｒｏｎｉｃ  Ｐｒｏｇｒａｍ  Ｇｕｉｄｅ：電子番組ガイド）等から当該音声映像信号のジャンルを取得し、図２３に示すようなテーブルにおいて、取得したジャンルに関連付けられているピーク保持時間Ｔ１を用いて、盛り上がり点の記録位置（ピーク位置）及びパワー値（ピーク値）を盛上り時点情報として検出する（図２及び図３参照）。
【０２２３】
また、盛上り時点検出部１３は、図２３に示すようなテーブルにおいて、ユーザにより設定された当該音声映像信号のジャンルに関連付けられているピーク保持時間Ｔ１を用いて、盛り上がり点の記録位置（ピーク位置）及びパワー値（ピーク値）を盛上り時点情報として検出するように構成されていてもよい（図２及び図３参照）。
【０２２４】
本実施形態に係る映像再生装置によれば、ジャンルごとに盛り上がり状態が異なることを考慮して、盛上り時点を設定することができ、ジャンルに応じた適切なダイジェストシーンを再生することができる。
【図面の簡単な説明】
【０２２５】
【図１】本発明の第１の実施形態に係る映像記録再生装置のブロック図である。
【図２】本発明の第１の実施形態に係る映像記録再生装置による盛上り時点の検出処理の説明図である。
【図３】本発明の第１の実施形態に係る映像記録再生装置により記録される盛上り時点情報の一例を示す表である。
【図４】本発明の第１の実施形態に係る映像記録再生装置により作成されたプレイリストの一例を示す表である。
【図５】本発明の第１の実施形態に係る映像記録再生装置におけるダイジェスト再生処理の説明図である。
【図６】本発明の第１の実施形態に係る映像記録再生装置におけるダイジェスト再生処理の説明図である。
【図７】本発明の第１の実施形態に係る映像記録再生装置における録画処理を示すフローチャートである。
【図８】本発明の第１の実施形態に係る映像記録再生装置における録画処理における盛上り時点情報記録処理を示すフローチャートである。
【図９】本発明の第１の実施形態に係る映像記録再生装置におけるダイジェスト再生処理を示すフローチャートである。
【図１０】本発明の第２の実施形態に係る映像記録再生装置におけるダイジェスト再生処理の説明図である。
【図１１】本発明の第２の実施形態に係る映像記録再生装置におけるダイジェスト再生処理の説明図である。
【図１２】本発明の第２の実施形態に係る映像記録再生装置におけるダイジェスト再生処理を示すフローチャートである。
【図１３】本発明の第３の実施形態に係る映像記録再生装置におけるダイジェスト再生処理の説明図である。
【図１４】本発明の第３の実施形態に係る映像記録再生装置におけるダイジェスト再生処理を示すフローチャートである。
【図１５】本発明の第４の実施形態に係る映像記録再生装置のブロック図である。
【図１６】本発明の第４の実施形態に係る映像記録再生装置におけるダイジェスト再生処理の説明図である。
【図１７】本発明の第５の実施形態に係る映像記録再生装置における録画処理を示すフローチャートである。
【図１８】本発明の第６の実施形態に係る映像記録再生装置におけるダイジェスト再生処理の説明図である。
【図１９】本発明の第７の実施形態に係る映像記録再生装置におけるダイジェスト再生処理における盛上り時点選択処理を示すフローチャートである。
【図２０】本発明の第８の実施形態に係る映像記録再生装置におけるダイジェスト再生処理の説明図である。
【図２１】本発明の第９の実施形態に係る映像再生装置のブロック図である。
【図２２】本発明の第１０の実施形態に係る映像再生装置のブロック図である。
【図２３】本発明の第１１の実施形態に係る映像記録再生装置の盛上り時点検出部及び本発明の第１２の実施形態に係る映像再生装置の盛上り時点検出部により管理されているテーブルの一例を示す図である。
【符号の説明】
【０２２６】
１０…録画処理部
１１…デジタルチューナ部
１２…音声信号デコーダ
１３…盛上り時点検出部
１４…記録媒体
１５…記録媒体インタフェース
２０…再生処理部
２１…音声映像信号デコーダ
２２…ダイジェストシーン抽出部
２３…再生制御部
２４…スピーカ
２５…モニタ
２７…ジャンル指定部
３１…音声信号解析部
３２…バッファメモリ
【図１】
0004435130.tif 000002
【図２】
0004435130.tif 000003
【図３】
0004435130.tif 000004
【図４】
0004435130.tif 000005
【図５】
0004435130.tif 000006
【図６】
0004435130.tif 000007
【図７】
0004435130.tif 000008
【図８】
0004435130.tif 000009
【図９】
0004435130.tif 000010
【図１０】
0004435130.tif 000011
【図１１】
0004435130.tif 000012
【図１２】
0004435130.tif 000013
【図１３】
0004435130.tif 000014
【図１４】
0004435130.tif 000015
【図１５】
0004435130.tif 000016
【図１６】
0004435130.tif 000017
【図１７】
0004435130.tif 000018
【図１８】
0004435130.tif 000019
【図１９】
0004435130.tif 000020
【図２０】
0004435130.tif 000021
【図２１】
0004435130.tif 000022
【図２２】
0004435130.tif 000023
【図２３】
0004435130.tif 000024